【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
複数種類の図柄を可変表示可能な複数の表示列を備え、前記複数の表示列の可変表示が停止した状態において、前記複数の表示列を横切る複数の入賞ラインのうち、有効化された入賞ライン上に停止した図柄の並びが所定態様である場合にいずれかの役が成立し、成立した役に応じた数量の遊技媒体を付与するスロットマシンであって、
賭け数に応じて一又は複数の前記入賞ラインを賭けの対象として有効化する有効化手段と、
プレイヤーの操作に応じて、前記表示列の可変表示の開始を指示する開始信号を出力する開始操作手段と、
前記複数の表示列の各々に対応して設けられ、プレイヤーの操作に応じて前記表示列の可変表示の停止を指示する停止信号を各々出力する複数の停止操作手段と、
複数の賞又はハズレの中から、抽選によって決定した抽選結果を示す内部抽選情報を生成する内部抽選手段と、
前記内部抽選情報がいずれかの賞の当選を示す場合に、前記複数の停止操作手段の操作による停止信号を検知して、前記停止信号に対応する表示列において、当選した賞を構成する図柄が有効化された前記入賞ラインから所定の範囲内にあるときに当該図柄が有効化された前記入賞ライン上に停止するように当該表示列の可変表示の停止を制御し、前記内部抽選情報がハズレを示す場合には、前記複数の停止操作手段の操作による停止信号を検知して、前記停止信号に対応する表示列において、賞を構成する図柄の並びが有効化された前記入賞ライン上に停止しないように当該表示列の可変表示の停止を制御する操作用停止制御手段と、
前記操作用停止制御手段によって一部の前記表示列の可変表示が停止している場合、既に停止した前記表示列の図柄の並びが、いずれかの入賞ライン上において賞を構成する図柄の並びの一部となったことを検知して、入賞の可能性がある賞と、有効化された前記入賞ラインのうち入賞の可能性がある入賞ラインとを特定する処理、及び可変表示中の少なくとも一つの表示列について、前記入賞の可能性がある入賞ライン上に前記特定された賞を構成する図柄が停止しないように当該表示列の可変表示の停止位置を決定する処理を実行する自動停止位置決定手段と、
前記自動停止位置決定手段によって停止位置が決定された時点から可変表示を継続し、基準時点から所定時間が経過すると前記表示列の位置を監視し、当該表示列の位置が前記自動停止位置決定手段によって決定された停止位置に至ると可変表示を停止させるように当該表示列を制御する自動用停止制御手段と、
前記内部抽選情報がいずれかの賞の当選を示す場合、前記自動停止位置決定手段によって停止位置が決定された時点から前記表示列が前記停止位置に至る時点の直前までの期間において、前記停止操作手段の操作による停止信号を検知すると、前記操作用停止制御手段を用いて前記表示列の可変表示を停止させ、当該期間において、前記停止信号を検知しないと、前記自動用停止制御手段を用いて前記表示列の可変表示を停止させる停止制御管理手段と、
を備えたスロットマシン。
【請求項２】
複数種類の図柄を可変表示可能な複数の表示列を備え、前記複数の表示列の可変表示が停止した状態において、前記複数の表示列を横切る複数の入賞ラインのうち、有効化された入賞ライン上に停止した図柄の並びが所定態様である場合にいずれかの役が成立し、成立した役に応じた数量の遊技媒体を付与するスロットマシンであって、
賭け数に応じて一又は複数の前記入賞ラインを賭けの対象として有効化する有効化手段と、
プレイヤーの操作に応じて、前記表示列の可変表示の開始を指示する開始信号を出力する開始操作手段と、
前記複数の表示列の各々に対応して設けられ、プレイヤーの操作に応じて前記表示列の可変表示の停止を指示する停止信号を各々出力する複数の停止操作手段と、
複数の賞又はハズレの中から、抽選によって決定した抽選結果を示す内部抽選情報を生成する内部抽選手段と、
前記内部抽選情報がいずれかの賞の当選を示す場合に、前記複数の停止操作手段の操作による停止信号を検知して、前記停止信号に対応する表示列において、当選した賞を構成する図柄が有効化された前記入賞ラインから所定の範囲内にあるときに当該図柄が有効化された前記入賞ライン上に停止するように当該表示列の可変表示の停止を制御し、前記内部抽選情報がハズレを示す場合には、前記複数の停止操作手段の操作による停止信号を検知して、前記停止信号に対応する表示列において、賞を構成する図柄の並びが有効化された前記入賞ライン上に停止しないように当該表示列の可変表示の停止を制御する操作用停止制御手段と、
賞と、停止制御の対象となる表示列と、賞を構成する図柄の並びが停止しないように入賞ラインごとに定められた停止位置とを対応付けて記憶した記憶手段を有し、前記操作用停止制御手段によって一部の前記表示列の可変表示が停止している場合、既に停止した前記表示列の図柄の並びが、いずれかの入賞ライン上において賞を構成する図柄の並びの一部となったことを検知して、入賞の可能性がある賞と、有効化された前記入賞ラインのうち入賞の可能性がある入賞ラインとを特定する処理、及び可変表示中の少なくとも一つの表示列について、前記特定された賞および前記入賞の可能性がある入賞ラインに対応する前記停止位置を前記記憶手段を参照して決定する処理を実行する自動停止位置決定手段と、
前記内部抽選情報がいずれかの賞の当選を示す場合、前記可変表示中の前記表示列について、前記自動停止位置決定手段によって停止位置が決定された時点から可変表示を継続し、基準時点から所定時間が経過すると前記表示列の位置を監視し、当該表示列の位置が前記自動停止位置決定手段によって決定された停止位置に至ると可変表示を停止させるように当該表示列を制御する自動用停止制御手段と、
を備えるスロットマシン。
【請求項３】
前記各表示列に表示される複数の図柄の各々には、図柄番号が割り当てられており、
前記自動停止位置決定手段の前記記憶手段は、前記停止位置として前記図柄番号を記憶しており、
前記自動用停止制御手段は、前記可変表示中の表示列について、前記自動停止位置決定手段で決定された図柄番号の位置で停止するよう当該表示列の可変表示の停止を制御する、
ことを特徴とする請求項２に記載のスロットマシン。
【請求項４】
前記自動停止位置決定手段は、最後に停止させる表示列を前記可変表示中の少なくとも一つの表示列として、前記入賞ライン上に賞を構成する図柄が停止しないように当該表示列の可変表示の停止位置を決定し、
前記自動用停止制御手段は、最後に停止させる表示列について、前記自動停止位置決定手段で決定された図柄番号の位置で停止するよう当該表示列の可変表示の停止を制御し、
前記操作用停止制御手段は、
前記内部抽選情報がいずれかの賞の当選を示し、かつ、前記基準時点から前記所定時間を経過しても一部の前記停止操作手段の停止操作がなかった場合、可変表示中の表示列であって最後の直前までに停止させる表示列については、前記所定時間が経過した時点を前記停止信号の検知時点として、当該表示列の可変表示の停止を制御する、
ことを特徴とする請求項１乃至３のうちいずれか１項に記載のスロットマシン。
【請求項５】
前記複数の賞には、単独の表示列において有効化された入賞ライン上に所定の図柄が停止することを入賞の条件とする賞が含まれ、
前記自動停止位置決定手段は、可変表示中の表示列に前記単独の表示列が含まれる場合、当該単独の表示列を前記最後に停止させる表示列とする、
ことを特徴とする請求項４に記載のスロットマシン。
【請求項６】
複数種類の図柄を可変表示可能な複数の表示列を備え、前記各表示列に表示される複数の図柄の各々には、図柄番号が割り当てられており、前記複数の表示列の可変表示が停止した状態において、前記複数の表示列を横切る複数の入賞ラインのうち、有効化された入賞ライン上に停止した図柄の並びが所定態様である場合にいずれかの役が成立し、成立した役に応じた数量の遊技媒体を付与するスロットマシンであって、
賭け数に応じて一又は複数の前記入賞ラインを賭けの対象として有効化する有効化手段と、
プレイヤーの操作に応じて、前記表示列の可変表示の開始を指示する開始信号を出力する開始操作手段と、
前記複数の表示列の各々に対応して設けられ、プレイヤーの操作に応じて前記表示列の可変表示の停止を指示する停止信号を各々出力する複数の停止操作手段と、
複数の賞又はハズレの中から、抽選によって決定した抽選結果を示す内部抽選情報を生成する内部抽選手段と、
基準位置における図柄番号と前記表示列の停止位置とを対付けて記憶した停止テーブルを複数備え、複数の停止テーブルは、複数の賞及びハズレ、並びに前記複数の表示列に対付けて分類されており、前記賞に対応付けられた前記停止テーブルには、所定の範囲内にある当該賞を構成する図柄を所定の入賞ライン上に停止させるように前記停止位置が記憶されており、前記ハズレに対応する前記停止テーブルには、ハズレとなるように前記停止位置が記憶されている停止テーブル群と、
前記内部抽選情報と、前記停止テーブルの組と、賞を構成する図柄が停止しないように定めた停止位置とを対応付けて記憶した記憶手段と、
前記内部抽選情報に基づいて前記記憶手段を参照して、停止制御に使用する停止テーブルの組を特定する停止テーブル特定手段と、
前記停止信号を検知した時点における前記基準位置の図柄番号を取得する取得手段と、
前記取得した図柄番号に基づいて前記特定された停止テーブルを参照して、前記停止位置を読み出し、読み出した停止位置に従って可変表示を停止させるように前記表示列を制御する操作用停止制御手段と、
前記停止テーブル特定手段によって前記停止テーブルの組が決定された後、最後に停止させる前記表示列について前記特定された停止テーブルの組に対応する前記停止位置を、前記記憶手段を参照して決定する自動停止位置決定手段と、
前記内部抽選情報がいずれかの賞の当選を示し、かつ、基準時点から所定時間が経過しても停止信号を検知しない場合、最後に停止させる前記表示列について、前記自動停止位置決定手段によって停止位置が決定された時点から可変表示を継続して前記表示列の位置が前記自動停止位置決定手段によって決定された停止位置に至ると可変表示を停止させるように当該表示列を制御する自動用停止制御手段と、
を備えるスロットマシン。
【請求項７】
前記停止テーブル特定手段は、前記内部抽選情報に応じて前記停止テーブルの組を決定することを特徴とする請求項６に記載のスロットマシン。
【請求項８】
前記停止テーブル特定手段は、前記複数の停止操作手段の操作順序と前記内部抽選情報に応じて前記停止テーブルの組を決定することを特徴とする請求項６に記載のスロットマシン。
【請求項９】
前記内部抽選情報がいずれかの賞の当選を示す場合、前記自動停止位置決定手段によって停止位置が決定された時点から前記表示列が前記停止位置に至る時点の直前までの期間において、前記停止操作手段の操作による停止信号を検知すると、前記操作用停止制御手段を用いて前記表示列の可変表示を停止させ、当該期間において、前記停止信号を検知しないと、前記自動用停止制御手段を用いて前記表示列の可変表示を停止させる停止制御管理手段を備えることを特徴とする請求項６乃至８のうちいずれか１項に記載のスロットマシン。
【請求項１０】
前記複数の賞には、単独の表示列において有効化された入賞ライン上に所定の図柄が停止することを入賞の条件とする賞が含まれ、
前記基準時点から所定時間が経過した時点で、前記単独の表示列を含む複数の前記表示列が可変表示中である場合、前記自動停止位置決定手段は、当該単独の表示列を前記最後に停止させる表示列として停止位置として決定し、
前記自動用停止制御手段は、前記単独の表示列について停止制御を実行する、
ことを特徴とする請求項６乃至９のうちいずれか１項に記載のスロットマシン。
【請求項１１】
前記基準時点はすべての前記表示列の可変表示の速さが一定速度となった時点であり、
前記表示列の可変表示速度を、可変表示の開始時点から所定の加速期間を経て前記一定速度となるように制御する速度制御手段を備えることを特徴とする請求項１乃至１０のうちいずれか１項に記載のスロットマシン。
【請求項１２】
前記所定時間が経過するまでの残り時間を管理する時間管理手段と、
前記残り時間を表示する表示手段とを備え、
前記時間管理手段は、所定周期の割り込み信号を発生する発生手段と、前記割り込み信号を計数して計数値を出力する計数手段と、前記計数値を前記残り時間に換算する換算手段とを備え、前記所定時間が経過する前に前記停止信号を検知すると、前記計数値を所定値分だけ戻す、
ことを特徴とする請求項１乃至１１のうちいずれか１項に記載のスロットマシン。
【請求項１３】
前記内部抽選情報の示す賞に応じて、抽選結果を報知する報知手段と、
前記自動用停止制御手段によって停止制御を行う場合に、報知内容を変更するように前記報知手段を制御する報知制御手段と、
を備えたことを特徴とする請求項１乃至１２のうちいずれか１項に記載のスロットマシン。
【手続補正２】
【補正対象書類名】明細書
【補正対象項目名】０００７
【補正方法】変更
【補正の内容】
【０００７】
本発明に係る第１のスロットマシンは、複数種類の図柄を可変表示可能な複数の表示列（Ｒ１、Ｒ２、Ｒ３）を備え、前記複数の表示列（Ｒ１、Ｒ２、Ｒ３）の可変表示が停止した状態において、前記複数の表示列（Ｒ１、Ｒ２、Ｒ３）を横切る複数の入賞ライン（Ｌ１〜Ｌ５）のうち、有効化された入賞ライン上に停止した図柄の並びが所定態様である場合にいずれかの役が成立し、成立した役に応じた数量の遊技媒体を付与するスロットマシンであって、賭け数に応じて一又は複数の前記入賞ライン（Ｌ１〜Ｌ５）を賭けの対象として有効化する有効化手段（１０１）と、プレイヤーの操作に応じて、前記表示列（Ｒ１、Ｒ２、Ｒ３）の可変表示の開始を指示する開始信号（１１２）を出力する開始操作手段（１２）と、前記複数の表示列の各々に対応して設けられ、プレイヤーの操作に応じて前記表示列（Ｒ１、Ｒ２、Ｒ３）の可変表示の停止を指示する停止信号（１１３ａ〜１１３ｃ）を各々出力する複数の停止操作手段（１３ａ〜１３ｃ）と、複数の賞又はハズレの中から、抽選によって決定した抽選結果を示す内部抽選情報を生成する内部抽選手段（１０１、ＴＢＬ１１〜１３）と、前記内部抽選情報がいずれかの賞の当選を示す場合に、前記複数の停止操作手段（１３ａ〜１３ｃ）の操作による停止信号（１１３ａ〜１１３ｃ）を検知して、前記停止信号（１１３ａ〜１１３ｃ）に対応する表示列（Ｒ１、Ｒ２、Ｒ３において、当選した賞を構成する図柄が有効化された前記入賞ライン（Ｌ１〜Ｌ５）から所定の範囲内にあるときに当該図柄が有効化された前記入賞ライン（Ｌ１〜Ｌ５）上に停止するように当該表示列（Ｒ１、Ｒ２、Ｒ３）の可変表示の停止を制御し、前記内部抽選情報がハズレを示す場合には、前記複数の停止操作手段（１３ａ〜１３ｃ）の操作による停止信号（１１３ａ〜１１３ｃ）を検知して、前記停止信号（１１３ａ〜１１３ｃ）に対応する表示列（Ｒ１、Ｒ２、Ｒ３）において、賞を構成する図柄の並びが有効化された前記入賞ライン（Ｌ１〜Ｌ５上に停止しないように当該表示列（Ｒ１、Ｒ２、Ｒ３）の可変表示の停止を制御する操作用停止制御手段（１０１、Ｓ１０９ｉ，ｊ，ｒ，ｓ，ａａ，ａｂ）と、前記操作用停止制御手段（１０１、Ｓ１０９ｉ，ｊ，ｒ，ｓ，ａａ，ａｂ）によって一部の前記表示列（Ｒ１、Ｒ２、Ｒ３）の可変表示が停止している場合、既に停止した前記表示列（Ｒ１、Ｒ２、Ｒ３）の図柄の並びが、いずれかの入賞ライン（Ｌ１〜Ｌ５）上において賞を構成する図柄の並びの一部となったことを検知して、入賞の可能性がある賞と、有効化された前記入賞ライン（Ｌ１〜Ｌ５）のうち入賞の可能性がある入賞ライン（Ｌ１〜Ｌ５）とを特定する処理、及び可変表示中の少なくとも一つの表示列（Ｒ１、Ｒ２、Ｒ３）について、前記入賞の可能性がある入賞ライン（Ｌ１〜Ｌ５）上に前記特定された賞を構成する図柄が停止しないように当該表示列（Ｒ１、Ｒ２、Ｒ３）の可変表示の停止位置を決定する処理を実行する自動停止位置決定手段（１０１、２０２ａ〜ｄ）と、前記自動停止位置決定手段（１０１、Ｓ２０２ａ〜ｄ）によって停止位置が決定された時点から可変表示を継続し、基準時点から所定時間が経過すると前記表示列（Ｒ１、Ｒ２、Ｒ３）の位置を監視し、当該表示列（Ｒ１、Ｒ２、Ｒ３）の位置が前記自動停止位置決定手段（１０１、Ｓ２０２ａ〜ｄ）によって決定された停止位置に至ると可変表示を停止させるように当該表示列（Ｒ１、Ｒ２、Ｒ３）を制御する自動用停止制御手段（１０１、Ｓ２０２ｅ〜ｇ，ｉ）と、前記内部抽選情報がいずれかの賞の当選を示す場合、前記自動停止位置決定手段（１０１、Ｓ２０２ａ〜ｄ）によって停止位置が決定された時点から前記表示列（Ｒ１、Ｒ２、Ｒ３）が前記停止位置に至る時点の直前までの期間において、前記停止操作手段（１３ａ〜１３ｃ）の操作による停止信号（１１３ａ〜１１３ｃ）を検知すると、前記操作用停止制御手段（１０１、Ｓ１０９ｉ，ｊ，ｒ，ｓ，ａａ，ａｂ）を用いて前記表示列（Ｒ１、Ｒ２、Ｒ３）の可変表示を停止させ、当該期間において、前記停止信号（１１３ａ〜１１３ｃ）を検知しないと、前記自動用停止制御手段（１０１、Ｓ２０２ｅ〜ｇ，ｉ）を用いて前記表示列（Ｒ１、Ｒ２、Ｒ３）の可変表示を停止させる停止制御管理手段（１０１、Ｓ２０２ｇ）と、を備える。
【手続補正３】
【補正対象書類名】明細書
【補正対象項目名】００１０
【補正方法】変更
【補正の内容】
【００１０】
本発明に係る第２のスロットマシンは、複数種類の図柄を可変表示可能な複数の表示列（Ｒ１、Ｒ２、Ｒ３）を備え、前記複数の表示列（Ｒ１、Ｒ２、Ｒ３）の可変表示が停止した状態において、前記複数の表示列（Ｒ１、Ｒ２、Ｒ３）を横切る複数の入賞ライン（Ｌ１〜Ｌ５）のうち、有効化された入賞ライン上に停止した図柄の並びが所定態様である場合にいずれかの役が成立し、成立した役に応じた数量の遊技媒体を付与するスロットマシンであって、賭け数に応じて一又は複数の前記入賞ライン（Ｌ１〜Ｌ５）を賭けの対象として有効化する有効化手段（１０１）と、プレイヤーの操作に応じて、前記表示列（Ｒ１、Ｒ２、Ｒ３）の可変表示の開始を指示する開始信号（１１２）を出力する開始操作手段（１２）と、前記複数の表示列の各々に対応して設けられ、プレイヤーの操作に応じて前記表示列（Ｒ１、Ｒ２、Ｒ３）の可変表示の停止を指示する停止信号（１１３ａ〜１１３ｃ）を各々出力する複数の停止操作手段（１３ａ〜１３ｃ）と、複数の賞又はハズレの中から、抽選によって決定した抽選結果を示す内部抽選情報を生成する内部抽選手段（１０１、ＴＢＬ１１〜１３）と、前記内部抽選情報がいずれかの賞の当選を示す場合に、前記複数の停止操作手段（１３ａ〜１３ｃ）の操作による停止信号（１１３ａ〜１１３ｃ）を検知して、前記停止信号（１１３ａ〜１１３ｃ）に対応する表示列（Ｒ１、Ｒ２、Ｒ３）において、当選した賞を構成する図柄が有効化された前記入賞ライン（Ｌ１〜Ｌ５）から所定の範囲内にあるときに当該図柄が有効化された前記入賞ライン（Ｌ１〜Ｌ５）上に停止するように当該表示列（Ｒ１、Ｒ２、Ｒ３）の可変表示の停止を制御し、前記内部抽選情報がハズレを示す場合には、前記複数の停止操作手段（１３ａ〜１３ｃ）の操作による停止信号（１１３ａ〜１１３ｃ）を検知して、前記停止信号（１１３ａ〜１１３ｃ）に対応する表示列（Ｒ１、Ｒ２、Ｒ３）において、賞を構成する図柄の並びが有効化された前記入賞ライン（Ｌ１〜Ｌ５）上に停止しないように当該表示列（Ｒ１、Ｒ２、Ｒ３）の可変表示の停止を制御する操作用停止制御手段（１０１、Ｓ１０９ｉ，ｊ，ｒ，ｓ，ａａ，ａｂ）と、賞と、停止制御の対象となる表示列（Ｒ１、Ｒ２、Ｒ３）と、賞を構成する図柄の並びが停止しないように入賞ライン（Ｌ１〜Ｌ５）ごとに定められた停止位置とを対応付けて記憶した記憶手段（ＴＢＬ５１）を有し、前記操作用停止制御手段（１０１、Ｓ１０９ｉ，ｊ，ｒ，ｓ，ａａ，ａｂ）によって一部の前記表示列（Ｒ１、Ｒ２、Ｒ３）の可変表示が停止している場合、既に停止した前記表示列（Ｒ１、Ｒ２、Ｒ３）の図柄の並びが、いずれかの入賞ライン（Ｌ１〜Ｌ５）上において賞を構成する図柄の並びの一部となったことを検知して、入賞の可能性がある賞と、有効化された前記入賞ライン（Ｌ１〜Ｌ５）のうち入賞の可能性がある入賞ラインとを特定する処理、及び可変表示中の少なくとも一つの表示列について、前記特定された賞および前記入賞の可能性がある入賞ラインに対応する前記停止位置を前記記憶手段（ＴＢＬ５１）を参照して決定する処理を実行する自動停止位置決定手段（１０１、ＴＢＬ５１、Ｓ２０２ａ〜ｄ）と、前記内部抽選情報がいずれかの賞の当選を示す場合、前記可変表示中の前記表示列について、前記自動停止位置決定手段（１０１、ＴＢＬ５１、Ｓ２０２ａ〜ｄ）によって停止位置が決定された時点から可変表示を継続し、基準時点から所定時間が経過すると前記表示列の位置を監視し、当該表示列の位置が前記自動停止位置決定手段（１０１、ＴＢＬ５１、Ｓ２０２ａ〜ｄ）によって決定された停止位置に至ると可変表示を停止させるように当該表示列を制御する自動用停止制御手段（１０１、Ｓ２０２ｅ〜ｇ，ｉ）と、を備える。
【手続補正４】
【補正対象書類名】明細書
【補正対象項目名】００１３
【補正方法】変更
【補正の内容】
【００１３】
ところで、前記複数の賞が全ての表示列において有効化された入賞ライン上に所定の図柄が停止することを入賞の条件とする賞の場合には、最後に停止させる表示列について自動用停止制御手段による停止制御を行うことができれば、最後の直前までに停止させる表示列の停止制御を任意としても問題は生じない。そこで、上記の各スロットマシンにおいて、前記自動停止位置決定手段は、最後に停止させる表示列を前記可変表示中の少なくとも一つの表示列として、前記入賞ライン（Ｌ１〜Ｌ５）上に賞を構成する図柄が停止しないように当該表示列の可変表示の停止位置を決定し、前記自動用停止制御手段（１０１、Ｓ２０２ｅ〜ｇ，ｉ）は、最後に停止させる表示列について、前記自動停止位置決定手段で決定された図柄番号の位置で停止するよう当該表示列の可変表示の停止を制御し、前記操作用停止制御手段（１０１、Ｓ１０９ｉ，ｊ，ｒ，ｓ，ａａ，ａｂ）は、前記内部抽選情報がいずれかの賞の当選を示し、かつ、前記基準時点から前記所定時間を経過しても一部の前記停止操作手段（１３ａ〜１３ｃ）の停止操作がなかった場合、可変表示中の表示列であって最後の直前までに停止させる表示列については、前記所定時間が経過した時点を前記停止信号（１１３ａ〜１１３ｃ）の検知時点として、当該表示列の可変表示の停止を制御する、ことが好ましい。この場合、最後の直前に停止させる表示列については、既に停止した表示列の図柄の並びを参照したり可変表示中の表示列の停止位置を監視したりする必要のない操作用停止制御手段による停止制御を行えばよいことになり、これらの表示列についても自動用停止制御手段による停止制御を行う態様に比較して処理が軽くなる。
【手続補正５】
【補正対象書類名】明細書
【補正対象項目名】００１５
【補正方法】変更
【補正の内容】
【００１５】
本発明に係る第３のスロットマシンは、複数種類の図柄を可変表示可能な複数の表示列（Ｒ１、Ｒ２、Ｒ３）を備え、前記各表示列（Ｒ１、Ｒ２、Ｒ３）に表示される複数の図柄の各々には、図柄番号が割り当てられており、前記複数の表示列（Ｒ１、Ｒ２、Ｒ３）の可変表示が停止した状態において、前記複数の表示列を横切る複数の入賞ライン（Ｌ１〜Ｌ５）のうち、有効化された入賞ライン上に停止した図柄の並びが所定態様である場合にいずれかの役が成立し、成立した役に応じた数量の遊技媒体を付与するスロットマシンであって、賭け数に応じて一又は複数の前記入賞ライン（Ｌ１〜Ｌ５）を賭けの対象として有効化する有効化手段（１０１）と、プレイヤーの操作に応じて、前記表示列（Ｒ１、Ｒ２、Ｒ３）の可変表示の開始を指示する開始信号を出力する開始操作手段（１２）と、前記複数の表示列（Ｒ１、Ｒ２、Ｒ３）の各々に対応して設けられ、プレイヤーの操作に応じて前記表示列（Ｒ１、Ｒ２、Ｒ３）の可変表示の停止を指示する停止信号（１１３ａ〜１１３ｃ）を各々出力する複数の停止操作手段（１３ａ〜１３ｃ）と、複数の賞又はハズレの中から、抽選によって決定した抽選結果を示す内部抽選情報を生成する内部抽選手段（１０１、ＴＢＬ１１〜１３）と、基準位置における図柄番号と前記表示列（Ｒ１、Ｒ２、Ｒ３）の停止位置とを対応付けて記憶した停止テーブルを複数備え、複数の停止テーブルは、複数の賞及びハズレ、並びに前記複数の表示列（Ｒ１、Ｒ２、Ｒ３）に対応付けて分類されており、前記賞に対応付けられた前記停止テーブルには、所定の範囲内にある当該賞を構成する図柄を所定の入賞ライン（Ｌ１〜Ｌ５）上に停止させるように前記停止位置が記憶されており、前記ハズレに対応する前記停止テーブルには、ハズレとなるように前記停止位置が記憶されている停止テーブル群（ＴＢＬ２１〜２９）と、前記内部抽選情報と、前記停止テーブルの組と、賞を構成する図柄が停止しないように定めた停止位置とを対応付けて記憶した記憶手段（ＴＢＬ５２，５３）と、前記内部抽選情報に基づいて前記記憶手段（ＴＢＬ５２，５３）を参照して、停止制御に使用する停止テーブルの組を特定する停止テーブル特定手段（１０１、Ｓ１０６）と、前記停止信号（１１３ａ〜１１３ｃ）を検知した時点における前記基準位置の図柄番号を取得する取得手段（１０１、Ｓ１０９ｃ，ｄ，ｍ，ｎ，ｖ，ｗ）と、前記取得した図柄番号に基づいて前記特定された停止テーブルを参照して、前記停止位置を読み出し、読み出した停止位置に従って可変表示を停止させるように前記表示列（Ｒ１、Ｒ２、Ｒ３）を制御する操作用停止制御手段（１０１、Ｓ１０９ｉ，ｊ，ｒ，ｓ，ａａ，ａｂ）と、前記停止テーブル特定手段（１０１、Ｓ１０６）によって前記停止テーブルの組が決定された後、最後に停止させる前記表示列について前記特定された停止テーブルの組に対応する前記停止位置を、前記記憶手段（ＴＢＬ５２〜５３）を参照して決定する自動停止位置決定手段（１０１、Ｓ２０２ｄ）と、前記内部抽選情報がいずれかの賞の当選を示し、かつ、基準時点から所定時間が経過しても停止信号を検知しない場合、最後に停止させる前記表示列について、前記自動停止位置決定手段（１０１、Ｓ２０２ｄ）によって停止位置が決定された時点から可変表示を継続して前記表示列の位置が前記自動停止位置決定手段（１０１、Ｓ２０２ｄ）によって決定された停止位置に至ると可変表示を停止させるように当該表示列を制御する自動用停止制御手段（１０１、Ｓ２０２ｅ〜ｇ，ｉ）と、を備える。